(57)【要約】      （修正有）【課題】ネットワーク通信専用の携帯型電子装置を提供する。【解決手段】本体１０と、本体１０と結合されたタッチスクリーン２０と、本体１０内に設けられ、ネットワークに接続するためのネットワーク通信装置３０と、本体１０内に設けられると共に、タッチスクリーン２０及びネットワーク通信装置３０と電気的に接続される制御ユニット５０とを含む。このうち制御ユニット５０は、実行モジュール５１及び変更禁止モジュール５２を含む。実行モジュール５１は、複数のネットワーク通信用操作画面を含むネットワーク通信インターフェースのみを表示するようタッチスクリーン２０を制御するのに用いられる。変更禁止モジュール５２は、ユーザが内蔵されていないアプリケーションプログラムを携帯型電子装置１にインストールすることを禁止するのに用いられる。【選択図】図１
0003191959.tif 000002
【実用新案登録請求の範囲】
【請求項１】
Ｓｋｙｐｅ通信専用の携帯型電子装置であって、
本体と、
前記本体と結合されたタッチスクリーンと、
前記本体内に設けられ、ネットワークに接続するのに用いられるネットワーク通信装置と、
前記本体内に設けられると共に、前記タッチスクリーン及び前記ネットワーク通信装置と電気的に接続される制御ユニットであって、前記携帯型電子装置が起動後にＳｋｙｐｅ通信機能のみを実行することができるように、複数のＳｋｙｐｅ操作画面を含むＳｋｙｐｅ通信インターフェースのみを表示するよう前記タッチスクリーンを制御するのに用いられる実行モジュールと、ユーザが内蔵されていないアプリケーションプログラムを前記携帯型電子装置にインストールすることを禁止するのに用いられる変更禁止モジュールと、を含む制御ユニットと、
を含むことを特徴とするＳｋｙｐｅ通信専用の携帯型電子装置。
【請求項２】
待機画面表示ボタンを更に含み、前記制御ユニットは、前記ユーザが前記待機画面表示ボタンをクリックした後、前記タッチスクリーンに前記複数のＳｋｙｐｅ操作画面中のうちの１つである連絡先リスト操作画面を表示させるのに用いられる連絡先表示モジュールを更に含み、前記連絡先リスト操作画面は、前記ユーザがクリックして電話をかけるのに用いられる複数の連絡先ボタン（Ｉｃｏｎ）を含むことを特徴とする請求項１に記載のＳｋｙｐｅ通信専用の携帯型電子装置。
【請求項３】
前記制御ユニットと電気的に接続され、画像データを取り込むのに用いられる画像取り込み装置を更に含むことを特徴とする請求項１に記載のＳｋｙｐｅ通信専用の携帯型電子装置。
【請求項４】
前記複数のＳｋｙｐｅ操作画面は、ロック解除操作画面を含むことを特徴とする請求項１に記載のＳｋｙｐｅ通信専用の携帯型電子装置。
【請求項５】
前記制御ユニットは、Ａｎｄｒｏｉｄ又はＷｉｎｄｏｗｓオペレーションシステムであるオペレーションシステムをロードすると共に実行することができることを特徴とする請求項１乃至４のいずれかに記載のＳｋｙｐｅ通信専用の携帯型電子装置。
【考案の詳細な説明】
【技術分野】
【０００１】
本考案は、携帯型電子装置に関し、特にＳｋｙｐｅ通信専用の携帯型電子装置に関する。
【背景技術】
【０００２】
通信技術の不断の進歩に伴い、現在の遠距離通信は、従来の電話システムを介して行うことができる以外に、ネットワークを介して行うこともできる。また、ネットワークの帯域幅が漸次拡大されるに伴い、ネットワーク通信は、音声方式で行えるのみならず、ビデオ通話を行うことも可能である。これにより、通信の利便性が大きく向上し、多くのネットワーク通信ソフトウェアも漸次社交上、ビジネス上必要不可欠な通信ツールとなってきている。通信ソフトウェアＳｋｙｐｅ（登録商標）もそのうちの１つである。
【０００３】
現在、通信ソフトウェアＳｋｙｐｅは、ユーザが自分で携帯電話又はコンピュータにダウンロードした後インストールをして実行する。しかしながら、現在、ユーザがＳｋｙｐｅ通信を実行しようとする場合は、まずコンピュータ内の通信ソフトウェアＳｋｙｐｅを起動しなければ、ネットワーク電話をかけることやその他の動作を始めることはできない。この点は、Ｓｋｙｐｅ通信機能を恒常的に使用する必要のあるユーザにとって不便であった。
【考案の概要】
【考案が解決しようとする課題】
【０００４】
本考案は、Ｓｋｙｐｅ通信専用の携帯型電子装置を提供することを課題とする。
【課題を解決するための手段】
【０００５】
上述した目的を達成するために、本考案に係るＳｋｙｐｅ通信専用の携帯型電子装置は、本体と、本体と結合されたタッチスクリーンと、本体内に設けられ、携帯型電子装置がネットワーク通信を実行できるようにネットワークに接続するためのネットワーク通信装置と、本体内に設けられると共に、タッチスクリーン及びネットワーク通信装置と電気的に接続される制御ユニットとを含む。このうち制御ユニットは、実行モジュール及び変更禁止モジュールを含む。実行モジュールは、携帯型電子装置が起動後にＳｋｙｐｅ通信機能のみを実行することができるように、複数のＳｋｙｐｅ操作画面を含むＳｋｙｐｅ通信インターフェースのみを表示するようタッチスクリーンを制御するのに用いられる。変更禁止モジュールは、ユーザが内蔵されていないアプリケーションプログラムを携帯型電子装置にインストールすることを禁止するのに用いられる。
【０００６】
本考案の１つの実施例において、本考案に係る携帯型電子装置は待機画面表示ボタンを更に含み、制御ユニットは連絡先表示モジュールを更に含む。連絡先表示モジュールは、ユーザが待機画面表示ボタンをクリックした後、タッチスクリーンに複数のＳｋｙｐｅ操作画面のうちの１つである連絡先リスト操作画面を表示させるのに用いられる。連絡先リスト操作画面は、ユーザがクリックして電話をかけるのに用いられる複数の連絡先ボタンを含む。
【０００７】
本考案の１つの実施例において、本考案に係る携帯型電子装置は、画像取り込み装置を更に含む。画像取り込み装置は、制御ユニットと電気的に接続され、画像データを取り込むのに用いられる。
【０００８】
本考案の１つの実施例において、複数のＳｋｙｐｅ操作画面は、ロック解除操作画面を含む。
【０００９】
本考案の１つの実施例において、制御ユニットは、Ａｎｄｒｏｉｄ又はＷｉｎｄｏｗｓ（登録商標）オペレーションシステムであるオペレーションシステムをロードすると共に実行することができる。
【図面の簡単な説明】
【００１０】
【図１】本考案に係る携帯型電子装置の装置構成を示す図である。
【図２】複数のＳｋｙｐｅ操作画面のうちの１つであるロック解除操作画面を示す。
【図３】複数のＳｋｙｐｅ操作画面のうちの１つである連絡先リスト操作画面を示す。
【図４】ユーザが待機画面表示ボタンをクリックしたことを示す図である。
【考案を実施するための形態】
【００１１】
本考案の技術内容をより深く理解することができるように、以下、好ましい具体的な実施例を挙げて本考案を説明する。
【００１２】
以下、図１乃至図４を併用して説明する。図１は、本考案に係る携帯型電子装置の装置構成を示す図である。図２は、複数のＳｋｙｐｅ操作画面のうちの１つであるロック解除操作画面を示す。図３は、複数のＳｋｙｐｅ操作画面のうちの１つである連絡先リスト操作画面を示す。図４は、ユーザが待機画面表示ボタンをクリックしたことを示す図である。
【００１３】
図１に示すように、本考案の１つの実施例において、本考案に係るＳｋｙｐｅ通信専用の携帯型電子装置１は、本体１０、タッチスクリーン２０、ネットワーク通信装置３０、待機画面表示ボタン４０、制御ユニット５０及び画像取り込み装置６０を含む。
【００１４】
タッチスクリーン２０は、本体１０と結合され、Ｓｋｙｐｅ通信インターフェースを表示すると共に、ユーザがタッチ方式で入力した指令を受信するのに用いられる。
【００１５】
ネットワーク通信装置３０は、本体１０内に設けられ、携帯型電子装置１がネットワーク通信できるように、ネットワークに接続するのに用いられる。
【００１６】
本考案の１つの実施例において、待機画面表示ボタン４０は、実体ボタンであり、本体１０と互いに結合される。但し、本考案に係る携帯型電子装置１の待機画面表示ボタン４０は、実体ボタンに限られず、例えばユーザがクリックできるようにタッチスクリーン２０を介して表示することができる仮想ボタンであってもよい。
【００１７】
本考案の１つの実施例において、制御ユニット５０は、例えばプロセッサであり、本体１０内に設けられると共に、タッチスクリーン２０及びネットワーク通信装置３０と電気的に接続される。制御ユニット５０は、Ａｎｄｒｏｉｄ又はＷｉｎｄｏｗｓオペレーションシステムをロードすると共に実行することで、既存の携帯電話の関連制御を実行することができる。制御ユニット５０は、実行モジュール５１、変更禁止モジュール５２及び連絡先表示モジュール５３を含む。本考案の１つの実施例において、上述した各モジュールは、ハードウェア装置、ソフトウェアプログラム、ファームウェア又はそれらの組み合わせとして配置することができるだけでなく、回路又はその他の適切な形式によって配置することができる。いずれかのモジュールがソフトウェアを用いるために実施される場合、制御ユニット５０によってロードされると共に実行されることができる。各モジュールは、単独の形式で配置することができるのみならず、結合の形式で配置することもできる。また、本実施形態は、本考案の好ましい実施例を例示するものに過ぎず、冗長な説明を回避するために、採用され得るすべての変化や組み合わせに関する詳細な記載は省略する。しかしながら、本分野の当業者であれば、上述した各モジュールがすべて必要というわけではないことを理解することができる。また、本考案を実施するためには、他の詳細な内容を有する従来のモジュール又は素子も含まれ得る。各モジュールは、いずれも必要に応じて省略又は修正することが可能であり、任意の２つのモジュールの間にはその他のモジュール又は素子が介在されていないとは限らない。
【００１８】
本考案の１つの実施例において、実行モジュール５１は、携帯型電子装置１が起動後にＳｋｙｐｅ通信機能のみを実行することができるように、Ｓｋｙｐｅ通信インターフェースのみを表示するようタッチスクリーン２０を制御するのに用いられる。Ｓｋｙｐｅ通信インターフェースは、複数のＳｋｙｐｅ操作画面を含む。複数のＳｋｙｐｅ操作画面は、図２に示すロック解除操作画面ＯＰ１、図３に示す連絡先リスト操作画面ＯＰ２及びＳｋｙｐｅ通信機能の実行において表示することを要するその他の既存の操作画面（図示せず）を含む。換言すれば、本考案に係るＳｋｙｐｅ通信専用の携帯型電子装置１では、ユーザが起動してログインすれば、Ｓｋｙｐｅ通信インターフェースを直ちに直接操作することが可能であり、デスクトップ上のＳｋｙｐｅアプリケーションプログラムアイコンをクリックすることでＳｋｙｐｅアプリケーションプログラムを起動させる必要がない。図２に示すように、本考案の１つの具体的な実施例において、ロック解除操作画面ＯＰ１はパターンロックインターフェースである。但し、本考案のロック解除操作画面ＯＰ１は、パターンロックインターフェースに限られず、従来の常套的なパスワードロックインターフェースであってもよい。パターンロックの運用は、現在用いられている既存技術であるため、その原理及び操作方法については詳細な説明を省略する。
【００１９】
変更禁止モジュール５２は、ユーザが内蔵されていないアプリケーションプログラムを携帯型電子装置１にインストールすることを禁止するのに用いられる。即ち、ユーザは、本考案に係る携帯型電子装置１を使用する場合、装置が出荷された時点で内蔵されているアプリケーションプログラムしか使用することができない。従って、本考案に係る携帯型電子装置１は、Ｓｋｙｐｅ通信を行うことにのみ用いられることができ、他のアプリケーションプログラムをインストールすることで他の用途のために使用すること（例えば、ブラウザをインストールしてウェブページを閲覧すること）はできない。
【００２０】
図２、図３及び図４に示すように、本考案の１つの実施例において、連絡先表示モジュール５３は、ユーザが待機画面表示ボタン３０をクリックした後、連絡先リスト操作画面ＯＰ２を表示させるのに用いられる。換言すれば、ユーザがどの操作画面を実行しようとしているかを問わず、待機画面表示ボタン３０をクリックしさえすれば、直ちに連絡先リスト操作画面ＯＰ２に戻ることができる。連絡先リスト操作画面ＯＰ２は、ユーザがクリックして電話をかけるのに用いられる複数の連絡先ボタンＣＰ１〜ＣＰ３を含む。
【００２１】
画像取り込み装置６０は、例えばカメラであり、制御ユニット４０と電気的に接続される。画像取り込み装置６０は、携帯型電子装置１がビデオ通話機能を実行できるように、例えばユーザの顔画像といった画像データを取り込むのに用いられる。
【００２２】
以上の説明から分かるように、本考案に係るＳｋｙｐｅ通信専用の携帯型電子装置１は、ユーザが直接Ｓｋｙｐｅ通信インターフェースに入って各操作を行うことができるだけでなく、単一ボタンのクリックによって連絡先リスト操作画面ＯＰ２を直接且つ素早く表示することができる。これにより、Ｓｋｙｐｅ通信を恒常的に使用しているユーザは、Ｓｋｙｐｅアプリケーションプログラムをより素早く使用して電話をかけたりその他の通信を行ったりすることが可能となる。
【００２３】
このように、本考案は、目的、手段及び効果のいずれにおいても、従来技術とは大きく異なる特徴を有する。注意すべきことは、上述した実施例は説明の便宜上挙げたものに過ぎず、本考案が主張する権利範囲は、本考案の実用新案登録請求の範囲に規定され、上述した実施例によって制限されるものではない。
【符号の説明】
【００２４】
１  携帯型電子装置
１０  本体
２０  タッチスクリーン
３０  ネットワーク通信装置
４０  待機画面表示ボタン
５０  制御ユニット
５１  実行モジュール
５２  変更禁止モジュール
５３  連絡先表示モジュール
６０  画像取り込み装置
ＯＰ１  ロック解除操作画面
ＯＰ２  連絡先リスト操作画面
ＣＰ１〜ＣＰ３  連絡先ボタン
【図１】
0003191959.tif 000003
【図２】
0003191959.tif 000004
【図３】
0003191959.tif 000005
【図４】
0003191959.tif 000006
【手続補正書】
【提出日】平成26年5月19日(2014.5.19)
【手続補正１】
【補正対象書類名】実用新案登録請求の範囲
【補正対象項目名】全文
【補正方法】変更
【補正の内容】
【実用新案登録請求の範囲】
【請求項１】
ネットワーク通信専用の携帯型電子装置であって、
本体と、
前記本体と結合されたタッチスクリーンと、
前記本体内に設けられ、ネットワークに接続するのに用いられるネットワーク通信装置と、
前記本体内に設けられると共に、前記タッチスクリーン及び前記ネットワーク通信装置と電気的に接続される制御ユニットであって、前記携帯型電子装置が起動後にネットワーク通信機能のみを実行することができるように、複数のネットワーク通信用操作画面を含むネットワーク通信インターフェースのみを表示するよう前記タッチスクリーンを制御するのに用いられる実行モジュールと、ユーザが内蔵されていないアプリケーションプログラムを前記携帯型電子装置にインストールすることを禁止するのに用いられる変更禁止モジュールと、を含む制御ユニットと、
を含むことを特徴とするネットワーク通信専用の携帯型電子装置。
【請求項２】
待機画面表示ボタンを更に含み、前記制御ユニットは、前記ユーザが前記待機画面表示ボタンをクリックした後、前記タッチスクリーンに前記複数のネットワーク通信用操作画面中のうちの１つである連絡先リスト操作画面を表示させるのに用いられる連絡先表示モジュールを更に含み、前記連絡先リスト操作画面は、前記ユーザがクリックして電話をかけるのに用いられる複数の連絡先ボタン（Ｉｃｏｎ）を含むことを特徴とする請求項１に記載のネットワーク通信専用の携帯型電子装置。
【請求項３】
前記制御ユニットと電気的に接続され、画像データを取り込むのに用いられる画像取り込み装置を更に含むことを特徴とする請求項１に記載のネットワーク通信専用の携帯型電子装置。
【請求項４】
前記複数のネットワーク通信用操作画面は、ロック解除操作画面を含むことを特徴とする請求項１に記載のネットワーク通信専用の携帯型電子装置。
【請求項５】
前記制御ユニットは、ネットワーク通信用オペレーションシステムであるオペレーションシステムをロードすると共に実行することができることを特徴とする請求項１乃至４のいずれかに記載のネットワーク通信専用の携帯型電子装置。